(57)【要約】【課題】  洗濯物が回転槽内に投入された状態で洗濯物から無線情報を検出することができるランドリー機器を提供すること。【解決手段】  水受槽３の外周面にはリーダーのアンテナ３４Ａ〜３４Ｆが固定されており、回転槽１１には複数の開口部１６が形成されている。これら各開口部１６はアンテナ３４Ａ〜３４Ｆに比べて大きなものであり、アンテナ３４Ａ〜３４Ｆは洗濯物の投入状態で洗濯物の無線タグ素子から送信される洗濯物情報を開口部１６を通して検出する。【選択図】  図３
2006006700.tif 000002
【特許請求の範囲】
【請求項１】
非金属製の水受槽と、
前記水受槽内に回転可能に収納され、洗濯物が投入される金属製の回転槽と、
前記回転槽に設けられた開口部と、
前記水受槽側に設けられ、前記回転槽が回転することに基いて前記開口部に対向する棒状のアンテナとを備え、
前記開口部の幅寸法は、前記アンテナの使用周波数波長の１／４以上に設定されていることを特徴とするランドリー機器。
【請求項２】
非金属製の水受槽と、
前記水受槽内に回転可能に収納され、洗濯物が投入される金属製の回転槽と、
前記回転槽に設けられた開口部と、
前記水受槽側に設けられ、前記回転槽が回転することに基いて前記開口部に対向するコイル状のアンテナとを備え、
前記開口部の大きさは、前記アンテナに比べて大きく設定されていることを特徴とするランドリー機器。
【請求項３】
前記アンテナは、前記水受槽内の最高水位より上方に配置されていることを特徴とする請求項１〜２のいずれかに記載のランドリー機器。
【請求項４】
前記開口部内には、非導電性の補強部材が詰込まれていることを特徴とする請求項１〜３のいずれかに記載のランドリー機器。
【請求項５】
前記補強部材は、前記回転槽内の洗濯物を撹拌するバッフルから構成されていることを特徴とする請求項４記載のランドリー機器。
【請求項６】
前記回転槽内に投入された洗濯物の無線送信部から送信される無線情報を前記アンテナを通して検出する無線受信部を備え、
前記無線受信部は、前記水受槽内に洗濯水が注入される前に前記無線送信部からの無線情報を検出することを特徴とする請求項１〜５のいずれかに記載のランドリー機器。
【請求項７】
前記回転槽には、前記開口部が周方向に沿って複数設けられていることを特徴とする請求項１〜６のいずれかに記載のランドリー機器。
【発明の詳細な説明】
【技術分野】
【０００１】
本発明は、無線情報の受信機能を備えたランドリー機器に関する。
【背景技術】
【０００２】
上記ランドリー機器には洗濯物に貼付されたＲＦＩＤから無線でランドリー情報を検出し、ランドリー情報の検出結果に基いて洗濯モードを選択する構成のものがある。
【特許文献１】特開２００２−３６０９６８号公報
【発明の開示】
【発明が解決しようとする課題】
【０００３】
上記従来構成の場合、洗濯物の投入時にＲＦＩＤからランドリー情報を検出しているので、電源の遮断状態で洗濯物が投入されたときにはランドリー情報を検出することができない。
本発明は上記事情に鑑みてなされたものであり、その目的は、洗濯物が投入された状態で洗濯物から無線情報を検出することができるランドリー機器を提供することにある。
【課題を解決するための手段】
【０００４】
請求項１記載のランドリー機器は、非金属製の水受槽と、前記水受槽内に回転可能に収納され洗濯物が投入される金属製の回転槽と、前記回転槽に設けられた開口部と、前記水受槽側に設けられ前記回転槽が回転することに基いて前記開口部に対向する棒状のアンテナとを備え、前記開口部の幅寸法が前記アンテナの使用周波数波長の１／４以上に設定されているところに特徴を有する。
【０００５】
請求項２記載のランドリー機器は、非金属製の水受槽と、前記水受槽内に回転可能に収納され洗濯物が投入される金属製の回転槽と、前記回転槽に設けられた開口部と、前記水受槽側に設けられ前記回転槽が回転することに基いて前記開口部に対向するコイル状のアンテナとを備え、前記開口部の大きさは前記アンテナに比べて大きく設定されているところに特徴を有する。
【発明の効果】
【０００６】
請求項１記載の手段によれば、回転槽内に洗濯物を投入した状態で運転が開始されると、回転槽が回転することに基いて回転槽の開口部が棒状のアンテナに対向する。この開口部の幅寸法がアンテナの使用周波数波長の１／４以上に設定されているので、洗濯物の投入状態でアンテナが洗濯物からの無線情報を開口部を通して検出することができる。
請求項２記載の手段によれば、回転槽内に洗濯物を投入した状態で運転が開始されると、回転槽が回転することに基いて回転槽の開口部がコイル状のアンテナに対向する。この開口部の大きさがアンテナに比べて大きく設定されているので、洗濯物の投入状態でアンテナが洗濯物からの無線情報を開口部を通して検出することができる。
【発明を実施するための最良の形態】
【０００７】
本発明の第１実施例を図１〜図９に基いて説明する。外箱１内には、図１に示すように、制振用の複数のダンパ２を介して円筒状の水受槽３が固定されている。この水受槽３は非導電性の合成樹脂を材料に形成されたものであり、水受槽３の前面には円形孔状の開口部４が形成されている。この水受槽３は給水弁を通して水道水が注入されるものであり、水道水を洗濯水として受ける貯水容器として機能する。この給水弁は給水弁ソレノイド５（図２参照）を駆動源とするものであり、給水弁ソレノイド５がオンオフされることに基いて開閉される。この水受槽３には、図１に示すように、排水路６が接続されており、排水路６には排水弁７が介在されている。この排水弁７は排水弁ソレノイド８（図２参照）を駆動源とするものであり、排水路６は排水弁ソレノイド８がオンオフされることに基いて開閉される。
【０００８】
水受槽３の後面には、図１に示すように、洗濯モータ９が固定されており、洗濯モータ９の回転軸には水受槽３内に位置して導電金属製の回転槽１１が連結されている。この回転槽１１は水受槽３と同心の円筒状をなすものであり、回転槽１１には洗濯水が流通する複数の貫通孔１２が形成されている。この回転槽１１は洗濯物を洗う洗い容器と洗濯物をすすぐすすぎ容器と洗濯物を脱水する脱水容器とを兼用するものであり、回転槽１１には水受槽３の開口部４の後方に位置して円形孔状の開口部１３が形成されている。
【０００９】
外箱１の前面には貫通孔状の投入口１４が形成されており、回転槽１１内には投入口１４から水受槽３の開口部４および回転槽１１の開口部１３を通して洗濯物が投入される。この外箱１には外蓋１５が回動可能に装着されており、投入口１４は外蓋１５が回動操作されることに基いて開閉される。
回転槽１１には、図３に示すように、４個の開口部１６が周方向に等ピッチで形成されている。これら各開口部１６は、図４に示すように、回転槽１１の軸方向に沿って延びる長方形状をなすものであり、各開口部１６内には、図３に示すように、合成樹脂製のバッフル１７が嵌合されている。これら各バッフル１７は開口部１６を塞ぐ補強部材に相当するものであり、回転槽１１の回転時にはバッフル１７が回転槽１１内の洗濯物を持ち上げて落下させることに基いて撹拌する。
【００１０】
外箱１の上端部には、図１に示すように、前面が開口する空間状の電装室１８が形成されている。この電装室１８内には制御基板１９が収納されており、制御基板１９には、図２に示すように、運転制御回路２０が搭載されている。この運転制御回路２０はマイクロコンピュータを主体に構成されたものであり、ＣＰＵ２１・ＲＯＭ２２・ＲＡＭ２３を有している。
【００１１】
電装室１８の前面には、図１に示すように、操作パネル２４が固定されている。この操作パネル２４には、図２に示すように、洗濯コーススイッチ２５およびスタートスイッチ２６が装着されており、運転制御回路２０は洗濯コーススイッチ２５の操作内容に応じて洗濯コースを設定する。この洗濯コースの設定状態でスタートスイッチ２６が操作されたことを検出したときには給水弁ソレノイド５・排水弁ソレノイド８・洗濯モータ９を洗濯コースの設定結果に応じたパターンで駆動制御し、洗濯運転を実行する。この処理は運転制御回路２０のＣＰＵ２１がＲＯＭ２２に記録された運転制御プログラムに基いて実行するものであり、ＲＡＭ２３はワークエリアとして機能する。
【００１２】
操作パネル２４には、図２に示すように、報知器に相当する運転情報表示器２７が固定されている。この運転情報表示器２７は液晶表示器からなるものであり、運転制御回路２０は洗濯コースの設定結果および残り洗濯時間等の運転情報を運転情報表示器２８に表示する。
制御基板１９には、図２に示すように、通信制御回路２９が搭載されている。この通信制御回路２９はマイクロコンピュータを主体に構成されたものであり、ＣＰＵ３０・ＲＯＭ３１・ＲＡＭ３２を有している。この通信制御回路２９は送信回路３３を駆動制御することに基いてキャリア信号を変調し、キャリア信号の変調結果を６個のアンテナ３４Ａ〜３４Ｆから質問信号として発振するものである。この処理は通信制御回路２９のＣＰＵ３０がＲＯＭ３１に記録された通信制御プログラムに基いて行うものであり、ＲＡＭ３２はワークエリアとして機能する。
【００１３】
通信制御回路２９のアンテナ３４Ａ〜３４Ｆはアンテナ線をループ状に巻回してなる電磁誘導式のものであり、図３に示すように、水受槽３の外周面に周方向に等ピッチで固定されている。これら各アンテナ３４Ａ〜３４Ｆは、図４に示すように、回転槽１１が回転することに基いて回転槽１１の開口部１６に径方向から対向するものであり、各アンテナ３４Ａ〜３４Ｆの大きさは開口部１６に比べて小さく設定されている。図３の（ａ）の二点鎖線Ｅはアンテナ３４Ａ〜３４Ｆの検出領域を示すものである。これらアンテナ３４Ａ〜３４Ｆの検出領域Ｅは周方向に隣接する検出領域Ｅに重なるものであり、全ての検出領域Ｅの合計は回転槽１１の内周部の全体を網羅するように設定されている。
【００１４】
無線タグ素子３５は洗濯物に装着された無線送信部に相当するものであり、図２に示すように、アンテナ３６・電源回路３７・制御回路３８・メモリ３９を有している。アンテナ３６は、図４に示すように、回転槽１１の開口部１６を通して通信制御回路２９のアンテナ３４Ａ〜３４Ｆに磁気的に結合するものであり、アンテナ３４Ａ〜３４Ｆに磁気的に結合することに基いてキャリア信号を受信する。電源回路３７はアンテナ３６が受信したキャリア信号を整流平滑することに基いて無線タグ素子３５の駆動電源を生成するものであり、無線タグ素子３５は通信制御回路２９のアンテナ３４Ａ〜３４Ｆから電源が非接触で送信される。
【００１５】
無線タグ素子３５の制御回路３８はアンテナ３６が受信したキャリア信号を復調することに基いて通信制御回路２９からの質問内容を認識し、メモリ３９から洗濯物情報を検出するものであり、洗濯物情報の検出結果に基いて応答信号を生成し、アンテナ３６から通信制御回路２９のアンテナ３４Ａ〜３４Ｆに応答信号を発振することに基いて質問内容に答える。
【００１６】
図５は無線タグ素子３５のメモリ３９に記録された洗濯物情報を示すものであり、メモリ３９には洗濯物情報として識別データ・衣類データ・布質データ・色合いデータ・注意データが記録されている。識別データとは洗濯物を特定する識別コードを称し、衣類データとはセーターおよびジャンパー等の衣類の種類を称する。布質データとはカシミアおよび皮等の布の種類を称し、色合いデータとは赤および茶等の洗濯物の色合いを称し、注意データとはドライクリーニングおよび洗濯不能等の洗濯を行うときの注意事項を称する。
【００１７】
制御基板１９には、図２に示すように、受信回路４０が搭載されている。この受信回路４０はアンテナ３４Ａ〜３４Ｆの受信信号を個別に復調するものであり、通信制御回路２９は受信回路４０の復調結果に基いて無線タグ素子３５からの応答内容を認識する。即ち、通信制御回路２９と送信回路３３とアンテナ３４Ａ〜３４Ｆと受信回路４０は無線タグ素子３５からの洗濯物情報を読取る電磁誘導式のリーダー４１を構成するものである。このリーダー４１は無線受信部に相当するものであり、使用周波数が１３．５６ＭＨｚに設定されている。
【００１８】
次に上記構成の作用について説明する。
運転制御回路２０は電源が投入されると、図６のステップＳ１で洗濯コーススイッチ２５の操作状態を判断し、洗濯コーススイッチ２５の操作を検出したときにはステップＳ２で洗濯コースを設定する。この洗濯コースは洗濯コーススイッチ２５の操作内容に応じて設定されるものであり、運転制御回路２０は洗濯コースを標準コース・つけおきコース・スピーディコース・ドライコースのうちから選択する。
【００１９】
運転制御回路２０はステップＳ２で洗濯コースを設定すると、ステップＳ３で洗濯モータ９を駆動し、回転槽１１を図３の矢印Ａ方向へ一定速度で正転させる。この回転槽１１の駆動時には水受槽３内に洗濯水が注入されておらず、回転槽１１内の洗濯物が乾布状態で撹拌される。
運転制御回路２０は図６のステップＳ３で回転槽１１を正転させると、ステップＳ４で通信制御回路２９に読込み開始指令を送信する。すると、通信制御回路２９は図７のステップＳ２１で運転制御回路２０からの読込み開始指令を検出し、ステップＳ２２で洗濯物情報の有無を判断する。ここで洗濯物情報を検出したときにはステップＳ２３へ移行し、洗濯物情報の検出結果を運転制御回路２０に転送する。
【００２０】
運転制御回路２０は図６のステップＳ４で読込み開始指令を送信すると、ステップＳ５で洗濯物情報の有無を判断する。ここで通信制御回路２９からの洗濯物情報を検出したときにはステップＳ６へ移行し、洗濯物情報の検出結果をＲＡＭ２３に格納する。
運転制御回路２０はステップＳ７へ移行すると、回転槽１１の回転量を検出する。この回転槽１１の回転量はステップＳ３で回転槽１１を正転開始してからの経過時間に基いて検出されるものであり、運転制御回路はステップＳ７で回転槽１１の回転量が設定値（具体的には１０回転）に到達したことを検出したときにはステップＳ８へ移行し、回転槽１１を回転停止させる。そして、ステップＳ９へ移行し、通信制御回路２９に読込み停止指令を送信する。すると、通信制御回路２９は図７のステップＳ２４で読込み停止指令を検出し、ステップＳ２１で読込み開始指令を待つスリープ状態に移行する。
【００２１】
運転制御回路２０は図６のステップＳ９で読込み停止指令を送信すると、ステップＳ１０で洗濯物情報の格納結果を加工することに基いて洗濯情報を設定し、ステップＳ１１で洗濯情報の設定結果を運転情報表示器２７に表示する。例えば洗濯物として皮製品が投入されているときには運転制御回路２０が通信制御回路２９からの洗濯物情報に基いて洗濯情報「皮製品は洗えません」を設定しており、運転情報表示器２７に洗濯情報「皮製品は洗えません」が表示される。従って、使用者は運転情報表示器２７の表示内容に基いて回転槽１１内に不適切な洗濯物が投入されていることを認識できるので、回転槽１１内から不適切な洗濯物を取出したり、洗濯コースを再設定する等の処置を行うことができる。
【００２２】
運転制御回路２０はステップＳ１１で洗濯情報を表示すると、ステップＳ１２でスタートスイッチ２６の操作状態を検出する。ここでスタートスイッチ２６が操作されたことを検出すると、ステップＳ１３で給水弁ソレノイド５・排水弁ソレノイド８・洗濯モータ９を洗濯コースの設定結果に応じたパターンで駆動し、洗濯運転を実行する。
運転制御回路２０は洗濯運転を開始すると、洗い工程で通信制御回路２９に読込み開始指令を送信することに基いて洗濯物情報の転送を要求し、下記１）および２）に示すように、洗濯物情報の転送結果に基いて洗濯物の撹拌状態を検出する。そして、洗濯物の撹拌状態が良好でないことを検出したときには洗濯モータ９の回転状態を調整し、洗濯物の撹拌状態を改善する。
１）図３の矢印Ｂは洗濯物が回転槽１１の正転途中で最高高度から落下する移動軌跡を示すものである。この場合には、図８の（ａ）・（ｂ）・（ｃ）に示すように、アンテナ３４Ａ・３４Ｂ・３４Ｃが同一の無線タグ素子３５から同一の洗濯物情報を順に検出し、図８の（ｄ）に示すように、アンテナ３４Ｄ〜３４Ｆが当該洗濯物情報を検出しない。この状態では運転制御回路２０が洗濯物の撹拌状態が良好であると判断し、洗い工程が終了するまで洗濯モータ９を現在速度で運転する。
２）洗濯物が回転槽１１の内周面から落下しないときにはアンテナ３４Ａ〜３４Ｆが同一の無線タグ素子３５から同一の洗濯物情報を順に検出する。この場合には運転制御回路２０が洗濯物の撹拌状態が良好でないと判断し、洗濯モータ９の回転速度を変更する。そして、アンテナ３４Ａ〜３４Ｃが同一の洗濯物情報を順に検出し、アンテナ３４Ｄ〜３４Ｆが当該洗濯物情報を検出しないことを確認することに基いて洗濯モータ９の回転速度を固定し、洗い工程が終了するまで洗濯モータ９を固定速度で運転する。
【００２３】
運転制御回路２０は脱水工程で通信制御回路２９に読込み開始指令を送信することに基いて洗濯物情報の転送を要求し、下記３）および４）に示すように、洗濯物情報の転送結果に基いて洗濯物の分布状態を検出する。そして、洗濯物の分布状態が良好でないことを検出したときには洗濯モータ９の回転状態を調整し、洗濯物の分布状態を改善する。この脱水工程は洗濯モータ９を洗い工程に比べて高速回転させるものであり、脱水工程では洗濯物が遠心力で回転槽１１の内周面に貼付き、回転槽１１と共に回転する。
３）洗濯物が回転槽１１内に均一に分布しているときには、図９の（ａ）に示すように、特定のアンテナ３４Ａが異なる複数の無線タグ素子３５から異なる複数の洗濯物情報を時間的に等間隔で順に検出する。この場合には運転制御回路２０が洗濯物の分布状態が良好であると判断し、脱水工程が終了するまで洗濯モータ９を現在速度で運転する。
４）洗濯物が回転槽１１内に不均一に分布しているときには、図９の（ｂ）に示すように、特定のアンテナ３４Ａが異なる複数の無線タグ素子３５から異なる複数の洗濯物情報を時間的に偏って検出する。この場合には運転制御回路２０が洗濯物の分布状態が偏っていると判断し、洗濯モータ９を逆方向へほぐし速度で回転させた後に正方向へ脱水速度で回転させる。そして、洗濯物の分布状態を再検出し、洗濯物の分布状態が改善されるまで洗濯モータ９の逆転および正転を繰返す。
【００２４】
上記第１実施例によれば、回転槽１１の開口部１６の大きさをリーダー４１のアンテナ３４Ａ〜３４Ｆに比べて大きく設定したので、洗濯物を回転槽１１内に投入した状態で無線タグ素子３５からの洗濯物情報を開口部１６を通して検出することができる。しかも、洗濯物の分布状態および撹拌状態を運転時にリアルタイムで検出することができるので、回転槽１１の回転状態を検出結果に基いて制御することに基いて洗濯物の分布状態および撹拌状態を改善できる。さらに、回転槽１１に開口部１６を形成する程度で洗濯物情報を検出することができるので、回転槽１１に検出用の構造を敷設する必要もなくなる。
【００２５】
アンテナ３４Ａ〜３４Ｆを静止部位３に固定したので、アンテナ３４Ａ〜３４Ｆをリード線等の通常の配線だけで制御基板１９に接続することができる。このため、アンテナ３４Ａ〜３４Ｆを回転槽１１等の非静止部位に固定する場合とは異なり、アンテナ３４Ａ〜３４Ｆと運転制御回路２９との間に電磁カップリング等の複雑な接続構造を介在する必要がなくなるので、追加スペースが不要になり、部品点数の増加も抑えられる。
【００２６】
アンテナ３４Ａ〜３４Ｆを水受槽３の外周面に配置した。このため、アンテナ３４Ａ〜３４Ｆに水がかかり難くなるので、アンテナ３４Ａ〜３４Ｆとして防水耐性程度のものを使用することが可能になる。従って、浸水耐性のアンテナを使用する必要がなくなるので、構成が簡素になる。
回転槽１１の開口部１６内にバッフル１７を嵌合することに基いて開口部１６を塞いだので、洗濯物が運転時に開口部１６内に吸込まれることがなくなる。しかも、回転槽１１の剛性低下が抑えられるので、回転槽１１が遠心力で変形することが防止される。さらに、開口部１６内に専用栓を嵌合する必要がなくなるので、専用栓の影響で洗濯性能が悪化することもなくなる。
【００２７】
リーダー４１が水受槽３内に洗濯水が注入される前に無線タグ素子３５からの洗濯物情報を検出するように構成したので、洗濯物情報の検出精度が水の影響で低下することがなくなる。しかも、皮製品に水が付着する前に皮製品が投入されていることを使用者に報知することができるので、使用者が皮製品を取出す等の処置を行うことで皮製品に水が付着することを回避することができる。
【００２８】
回転槽１１に複数の開口部１６を形成したので、回転槽１１内に複数の検出エリアが形成される。このため、洗濯物が脱水工程で均一に分布しているか否かの分布状態を検出することができるので、洗濯モータ９を検出結果に基いて駆動制御することで洗濯物の分布状態を改善することができる。
水受槽３の外周面にアンテナ３４Ａ〜３４Ｆを周方向に沿って配列したので、運転時の洗濯物の挙動を検出することができる。このため、洗濯物が洗い工程で最高高度から落下しているか否かの撹拌状態を検出することができるので、洗濯モータ９を検出結果に基いて駆動制御することで洗濯物の撹拌状態を改善することができる。しかも、アンテナ３４Ａ〜３４Ｆの検出エリアを小さくすることができる。このため、アンテナ３４Ａ〜３４Ｆの検出出力が小さくなるので、リーダー４１の構成が小さくなる。
【００２９】
上記第１実施例においては、無線タグ素子３５およびリーダー４１として電磁誘導式のものを利用したが、これに限定されるものではなく、例えば電波式のものを利用しても良い。この場合には、本発明の第２実施例を示す図１０のように、水受槽３の外周面に棒状のアンテナ４５を周方向に等ピッチで固定し（１個のみ図示する）、無線タグ素子３５からの洗濯物情報を回転槽１１の開口部１６を通して棒状のアンテナ４５に伝達すると良い。この開口部１６は軸方向の幅寸法Ｗ１が周方向の幅寸法Ｗ２に比べて大きな長方形状をなすものであり、幅寸法Ｗ１およびＷ２の双方が使用周波数波長λの１／４以上に設定されたり、幅寸法Ｗ１およびＷ２の一方が使用周波数波長λの１／４以上に設定される。
【００３０】
無線タグ検出用の電波としては世界的に「２．４５ＧＨｚ」近辺および「９５０ＭＨｚ」近辺が利用されており、検出用電波の波長λは「約１２ｃｍ」および「約３１ｃｍ」になる。これらの電波は金属面で反射されるので、回転槽１１の基材を通過することができないが、幅寸法Ｗ１およびＷ２の少なくとも一方が「λ／４」以上の開口部１６を通して伝達させることができる。
【００３１】
上記第１および第２実施例においては、水受槽３の外周面に複数のアンテナ３４Ａ〜３４Ｆおよび複数のアンテナ４５を固定したが、これに限定されるものではなく、例えば１個のアンテナを固定しても良い。図１１は水受槽３の外周面にコイル状の１個のアンテナ３４を固定した本発明の第３実施例を示すものであり、アンテナ３４は最高水位ＨＬより上方に配置され、アンテナ３４の検出領域Ｅは回転槽１１内の左側部に偏心している。この最高水位ＨＬとは運転時に水受槽３内に貯留される水位の最高値を称するものであり、開口部１６は水中から脱出した状態でアンテナ３４に対向する。従って、洗濯物情報の検出精度が水の影響で低下することがなくなるので、洗濯物情報の検出精度が高まる。
【００３２】
上記第１および第２実施例においては、水受槽３の外周面に複数のアンテナ３４Ａ〜３４Ｆおよび複数のアンテナ４５を周方向に等ピッチで配列したが、これに限定されるものではなく、例えば不等ピッチで配列しても良い。この場合、複数の全てのアンテナ３４Ａ〜３４Ｆおよび複数の全てのアンテナ４５を最高水位ＨＬの上方に配置すると良い。
上記第１〜第３実施例においては、本発明をドラム式の洗濯機に適用したが、これに限定されるものではなく、例えばパルセータが生成する水流で洗濯物を洗う縦形の洗濯機に適用しても良い。図１２は本発明を縦形の洗濯機に適用した第４実施例であり、合成樹脂製の水受槽５１の外周面にコイル状のアンテナ３４を固定し、金属製の回転槽５２にアンテナ３４に比べて大きな開口部１６を形成する。図１３は水受槽５１の外周面に棒状のアンテナ４５を固定した本発明の第５実施例である。この場合には開口部１６の幅寸法Ｗ１およびＷ２の少なくとも一方を使用周波数波長λの１／４以上に設定する。
【００３３】
上記第１〜第５実施例においては、運転情報表示器２７に洗濯情報を表示する構成としたが、これに限定されるものではなく、例えばスピーカから洗濯情報を音声で出力する構成としたり、アラームを鳴動させることに基いて不適切な洗濯物の投入を報知する構成としても良い。
上記第１〜第５実施例においては、アンテナ３４Ａ〜３４Ｆおよびアンテナ４５等を水受槽３等の外周面に固定したが、これに限定されるものではなく、要は水受槽３側に回転槽１１に対して相対的に静止するように配置すれば良い。
【００３４】
上記第１〜第５実施例においては、開口部１６をバッフル１７によって塞いだが、これに限定されるものではなく、例えば合成樹脂製の専用の栓部材によって塞いでも良い。この場合、栓部材を強度確保の目的でアーチ構造等の突状にすることが好ましい。
【図面の簡単な説明】
【００３５】
【図１】本発明の第１実施例を示す図（洗濯機の内部構成を示す断面図）
【図２】電気的構成を示すブロック図
【図３】（ａ）はリーダーのアンテナおよび回転槽の開口部の機械的な配置関係を示す図、（ｂ）はＸ部を拡大して示す図
【図４】（ａ）はリーダーのアンテナおよび回転槽の開口部をバッフルの除去状態で示す斜視図、（ｂ）はリーダーのアンテナおよび無線タグ素子のアンテナを磁気的結合状態で示す模式図
【図５】無線タグ素子の記録データを示す図
【図６】運転制御回路の制御内容を示すフローチャート
【図７】通信制御回路の制御内容を示すフローチャート
【図８】洗濯物の撹拌状態の検出方法を説明するための図
【図９】洗濯物の分布状態の検出方法を説明するための図
【図１０】本発明の第２実施例を示す図４相当図
【図１１】本発明の第３実施例を示す図３の（ａ）相当図
【図１２】本発明の第４実施例を示す図４の（ａ）相当図
【図１３】本発明の第５実施例を示す図４の（ａ）相当図
【符号の説明】
【００３６】
３は水受槽、１１は回転槽、１６は開口部、１７はバッフル（補強部材）、３４はアンテナ、３４Ａ〜３４Ｆはアンテナ、３５は無線タグ素子（無線送信部）、４１はリーダー（無線受信部）、４５はアンテナ、５１は水受槽、５２は回転槽を示している。
【図１】
2006006700.tif 000003
【図２】
2006006700.tif 000004
【図３】
2006006700.tif 000005
【図４】
2006006700.tif 000006
【図５】
2006006700.tif 000007
【図６】
2006006700.tif 000008
【図７】
2006006700.tif 000009
【図８】
2006006700.tif 000010
【図９】
2006006700.tif 000011
【図１０】
2006006700.tif 000012
【図１１】
2006006700.tif 000013
【図１２】
2006006700.tif 000014
【図１３】
2006006700.tif 000015